(57)【要約】      （修正有）【課題】一つの換気口でどのような条件下においても電動開閉型、手動開閉型のどちらにも対応可能な天井床下換気口を提供する。【解決手段】天井床下換気口１は、基枠１１と、蓋２１と、ワイヤ３１と、第１プーリ４１、第２プーリ４２からなる。基枠１１は、中央に開口部１３を有し、表面２の四隅にはシャッター取り付けビス１４を備え、裏面３の一端に蓋２１を開閉可能に取り付ける。また、蓋２１取り付け側の対称側に第１プーリ４１を設け、蓋２１取り付け側に第２プーリ４２を設ける。ここで、基枠１１と蓋２１との接続部の支軸１５外周上にスプリング１６を備え、スプリング１６の弾性力により蓋２１を開方向に付勢させている。ワイヤ３１は、一端部が蓋２１に取り付けられ、基枠１１に設けられた第１プーリ４１を介して基枠１１の表面２に挿通する。ワイヤ３１を牽引することで、蓋２１が開口部１３を閉鎖する。【選択図】図１
0003118090.tif 000002
【実用新案登録請求の範囲】
【請求項１】
基枠と、
上記基枠の一端部に開閉可能に取り付けられ、基枠との接続部にスプリングにより開方向に付勢された蓋を有し、
上記蓋に端部を固定され、牽引・開放することにより蓋を開閉することが可能なワイヤを備え、
上記ワイヤを複数個のプーリを介して任意の位置で手動または電動によって牽引・開放させることができるようにしたことを特徴とする天井床下換気口。
【請求項２】
上記ワイヤ端部に取っ手を設け、取っ手にスプリングを内蔵してワイヤに伸縮作用をもたせたことを特徴とする請求項１に記載の天井床下換気口。
【請求項３】
上記基枠の片面に、虫除け及び防火シャッターを取り付け可能としたことを特徴とする請求項１に記載の天井床下換気口。
【請求項４】
上記基枠の片面の金属露出面に、結露防止用カバーを設けたことを特徴とする請求項１に記載の天井床下換気口。
【考案の詳細な説明】
【技術分野】
【０００１】
本考案は、住宅の天井周辺や床下近傍などに取り付けることが出来る換気口に関する。
【背景技術】
【０００２】
近年、快適な住空間を目的とした『エアサイクル住宅』（登録商標）が増えてきている。このエアサイクル住宅は、建物の外壁内側、屋根裏や床下などの内部空間を連続させたエアサイクル層を設け、季節に合わせてエアサイクル層に冷暖気を通わせ、適時室内に取り込むことで、より快適に住まいを保つ機能を持たせた住宅である。
【０００３】
上記エアサイクル層において適温適湿に調整された空気を室内に取り込む際には換気口を用いる。この換気口には、電動開閉型の換気口（特開平９−４０８２号公報、特許文献1参照）や手動開閉型の換気口（特開平１１−１０８４０５号公報、特許文献２参照）などがある。
【特許文献１】特開平９−４０８２号公報
【特許文献２】特開平１１−１０８４０５号公報
【考案の開示】
【考案が解決しようとする課題】
【０００４】
従来の換気口は、天井用と床下用で相互に互換性がなく、また、電動開閉型も手動開閉型も相互に互換性はなかった。そこで、ユーザ及び施行業者は機能やデザイン、用途や目的等によって個々にふさわしい換気口を選択する必要があった。また、ユーザの希望する換気口があったとしても、設置位置の環境や条件、建築基準法等によって設置できない場合や、天井、床下、あるいは電動開閉型、手動開閉型の一方のみにしか対応していないが為に断念せざるをえない等、ユーザの希望通りに設置できない場合が往々にしてあった。
【０００５】
そこで本考案においては、一つの換気口でどのような位置・条件下においても電動開閉型、手動開閉型のどちらにも対応可能な天井床下換気口を提供することである。
【課題を解決するための手段】
【０００６】
上述する課題を解決するために、本考案では、
基枠と、
上記基枠の一端部に開閉可能に取り付けられ、基枠との接続部にスプリングにより開方向に付勢された蓋を有し、
上記蓋に端部を固定され、牽引・開放することにより蓋を開閉することが可能なワイヤを備え、
上記ワイヤを複数個のプーリを介して任意の位置で手動または電動によって牽引・開放させることができるようにしたことを特徴としている（請求項１）。
【０００７】
上記ワイヤ端部に取っ手を設け、取っ手にスプリングを内蔵し、ワイヤに伸縮作用をもたせたことを特徴としている（請求項２）。
【０００８】
上記基枠の片面に、虫除け及び防火シャッターを取り付け可能としたことを特徴としている（請求項３）。
【０００９】
上記基枠の片面の金属露出面に、結露防止用カバーを設けたことを特徴としている（請求項４）。
【考案の効果】
【００１０】
本考案によれば、プーリを適所に複数個設置することで、ワイヤを任意の位置に誘導することができる。例えば、本考案に係る天井床下換気口を天井裏に設置した際には、ワイヤを天井裏内側に誘導し、床下に設置した際には、ワイヤを屋外側に誘導する。このように、ワイヤを任意の位置に誘導可能にしたことで換気口の設置位置が限定されず、また、設置条件やユーザのニーズに対して、電動式・手動式の各方式にも容易に対応することができる。さらに、手動式の際にはワイヤ端部にスプリング内蔵取っ手を設けることで遊びを持たせ、ワイヤを取り扱いやすくした。また、虫除け及び防火シャッターを取り付け可能としたことで、工事の作業効率の向上・工期短縮が可能であり、さらに、金属露出部にカバーをすることで結露を防止することができる。
【考案を実施するための最良の形態】
【００１１】
図１は、本考案に係る天井床下換気口の手動開閉方式の実施例の斜視図である。図示した天井床下換気口１は、基枠１１と、蓋２１と、ワイヤ３１と、第１プーリ４１、第２プーリ４２からなる。
上記基枠１１は、中央に開口部１３を有し、表面２の四隅にはシャッター取り付けビス１４を備え、裏面３の一端に上記蓋２１を開閉可能に取り付ける。また、蓋２１の取り付け位置の対称側に第１プーリ４１を設け、蓋２１の取り付け位置に第２プーリ４２を設ける。ここで、基枠１１と蓋２１との接続部の支軸１５外周上にスプリング１６を備え、スプリング１６の弾性力により蓋２１を開方向に付勢させている。開口部１３は、開口縁に沿って基枠１１の裏面３の向きに立ち上げ部１７を有し、立ち上げ部１７はスポンジ等からなる密閉用弾性シール１８を有する。また、基枠１１は、当該換気口１を天井・床下等に取り付ける際の取り付け面に設けられた開口部分に対応する取り付け枠１９を有する。第１プーリ４１は、基枠１１の蓋２１の取り付け位置の対称側に設けられ、第２プーリ４２は、基枠１１の蓋２１の取り付け位置に設けられる。
【００１２】
上記蓋２１は、一端部を開閉可能に基枠１１に取り付けられ、他端部にワイヤ３１を取り付けている。また、蓋２１は、開口部１３の閉鎖面側に、立ち上げ部１７の外側に嵌まりこむような側壁２２を有し、裏面側には断熱材２３を有する。基枠１１との接続部の支軸１５外周上には、スプリング１６を備え、これにより蓋２１が開方向に付勢されている。上記ワイヤ３１は、一端部が蓋２１に取り付けられ、基枠１１に設けられた第１プーリ４１を介して基枠１１の表面２に挿通し、他端部に取っ手３２を備える。取っ手３２は、スプリング３３を内蔵し、前記スプリング３３によって取っ手３２を固定する際の取り扱いを容易にしている。
【００１３】
ここで、上記ワイヤ３１によって蓋２１をスプリング１６の弾性力に抗して閉方向に牽引することで、蓋２１が開口部１３を閉鎖する。その後、ワイヤ３１を開放すると、スプリング１６により付勢された蓋２１は開方向に移動し、開口部１３は再び開口する仕組みとなっている。
【００１４】
図２は、図１に示した天井床下換気口の表面の斜視図である。図示した天井床下換気口１は、基枠１１と、蓋２１と、ワイヤ３１と、第１プーリ４１及び第２プーリ４２からなる。
基枠１１は、中央に開口部１３を有し、表面２の四隅にシャッター取り付けビス１４を設け、裏面の一端部に蓋２１を有する。また、蓋２１の取り付け位置の対称側に第１プーリ４１を設け、蓋２１の取り付け位置に第２プーリ４２を設ける。開口部１３は、ワイヤ通路３４を有する。
さらに、基板１１の表面２に露出している第２プーリ４２は金属体であるので、基枠１１の表面２側に結露防止のためのカバー７１を設ける。
【００１５】
上記ワイヤ３１は、一端部が蓋２１に取り付けられ、基枠１１に設けられた第１プーリ４１を介して基枠１１の表面２に挿通し、他端部に取っ手３２を備える。
【００１６】
シャッター５１は、虫侵入防止ネット５４を備え、ワイヤ挿通孔５２と、取っ手固定部５３を備える。シャッター５１は、虫除けシャッター用の構造であっても、防火シャッター用の構造であってもよい。
【００１７】
基枠１１の表面２にシャッター５１を取り付ける際には、基枠１１の表面２に挿通されたワイヤ３１をさらにシャッター５１のワイヤ挿通孔５２に挿通してシャッター表面に取り出して、ワイヤ３１の端部に取っ手３２を設ける。また、取っ手３２を、シャッター５１の取っ手固定部５３に引っ掛けて固定することで、蓋２１によって開口部１３を閉鎖した状態で維持することができる。
【００１８】
図３（a），（b），（c）は、図１及び図２に示した天井床下換気口の床下に設置したときの正面図、側面図、上面図である。図示した天井床下換気口１は、手動で開閉を行う方式の実施例であり、基枠１１と蓋２１とワイヤ３１とシャッター５１を有する。基枠１１は基礎１２に固定され、中央に開口部１３を有しており、表面２（屋外側）にシャッター５１を取り付け、裏面３（室内側）に蓋２１を開閉可能に取り付ける。基枠１１と蓋２１の接続部の支軸１５外周上にはスプリング１６が設けられ、スプリング１６の弾性力によって蓋２１は開方向に付勢される。
【００１９】
シャッター５１は、虫侵入防止ネット５４を備え、ワイヤ挿通孔５２と取っ手固定部５３を有し、基枠１１の表面２に取り付けられる。また、ワイヤ３１は、一端部を蓋２１に固定され、第１プーリ４１を介して基枠１１の表面２に挿通し、さらにシャッター５１のワイヤ挿通孔５２に挿通し、シャッター表面に取り出される。上記ワイヤ挿通孔５２に挿通したワイヤ３１の端部には、取っ手３２を設ける。この取っ手３２を牽引することによって、蓋２１が開口部１３を閉鎖する仕組みとなる。このとき、牽引したワイヤ３１の取っ手３２を、シャッター５１の取っ手固定部５３に引掛け固定することで、開口部１３を閉鎖した状態で維持することができる。
【００２０】
図４は、本考案に係る天井床下換気口の電動開閉方式の実施例の斜視図である。図示した天井床下換気口１は、基枠１１と、蓋２１と、ワイヤ３１と、第１プーリ４１、第２プーリ４２からなる。
基枠１１は、中央に開口部１３を有し、表面２にシャッター取り付けビス１４と、裏面３の一端部に開閉可能に蓋２１を設ける。また、蓋２１の取り付け位置の対称側に第１プーリ４１を設け、蓋２１の取り付け位置に第２プーリ４２を設ける。ここで、基枠１１と蓋２１との接続部の支軸１５外周上にスプリング１６を備え、スプリング１６の弾性力により蓋２１を開方向に付勢させている。蓋２１は、一端部を開閉可能に基枠１１に取り付けられ、他端部にワイヤ３１を有する。ワイヤ３１は、一端部を蓋２１に固定され、第１プーリ４１を介して基枠１１の表面２に挿通する。基枠１１の表面２に挿通したワイヤ３１は、開口部１３に設けられたワイヤ通路３４を通り、基枠１１の表面２から第２プーリ４２を介して基枠１１の裏面３に挿通し、電動モータ６１等に接続される。
【００２１】
図５は、図４に示した天井床下換気口の表面の斜視図である。図示した天井床下換気口１は、基枠１１と、蓋２１と、ワイヤ３１と、第１プーリ４１及び第２プーリ４２からなる。
基枠１１は、中央に開口部１３を有し、表面２の四隅にシャッター取り付けビス１４を設け、裏面３の一端部に蓋２１を有する。また、蓋２１の取り付け位置の対称側に第１プーリ４１を設け、蓋２１の取り付け位置に第２プーリ４２を設ける。開口部１３は、ワイヤ通路３４を有する。
さらに、基板１１の表面２に露出しているワイヤ３１、第１プーリ４１及び第２プーリ４２は金属体であるので、基枠１１の表面２側に結露防止のためのカバー７１を取り付ける。
【００２２】
上記ワイヤ３１は、一端部を蓋２１に固定され、第１プーリ４１を介して基枠１１の表面２に挿通する。基枠１１の表面２に挿通したワイヤ３１は、開口部１３に設けられたワイヤ通路３４を通り、基枠１１の表面２から第２プーリ４２を介して基枠１１の裏面３に挿通し、電動モータ６１等に接続される。
【００２３】
シャッター５１は、虫侵入防止ネット５４を備える。シャッター５１は、虫除けシャッター用の構造であっても、防火シャッター用の構造であってもよい。
【００２４】
図６（a），（b），（c）は、図４及び図５に示した天井床下換気口の天井に設置したときの正面図、側面図、底面図である。図示した天井床下換気口１は、電動で開閉を行う方式の実施例であり、基枠１１と蓋２１とワイヤ３１とシャッター５１を有する。基枠１１は基礎１２に固定され、中央に開口部１３を有しており、表面２（屋外側）にシャッター５１を取り付け、裏面３（屋根裏側）に蓋２１を開閉可能に取り付ける。基枠１１と蓋２１の接続部の支軸１５外周上にはスプリング１６が設けられ、スプリング１６の弾性力によって蓋２１は開方向に付勢される。シャッター５１は、虫侵入防止ネット５４を備え、基枠１１のシャッター取り付けビス１４によって、基枠１１の表面２に設けられる。また、ワイヤ３１は、一端部を蓋２１に固定され、第１プーリ４１を介して基枠１１の表面２に挿通する。基枠１１の表面２に挿通されたワイヤ３１は、基枠１１の開口部１３に設けられたワイヤ通路３４を通り、基枠１１の表面２から第２プーリを介して基枠１１の裏面３に挿通し、電動モータ６１等に接続する。なお、図６におけるシャッター５１は虫除けシャッターの構造としている。
【００２５】
図７（a），（b），（c）は、図４〜及び図６に示した天井床下換気口のシャッターに防火シャッターを用いた際の正面図、側面図、底面図である。図示した天井床下換気口１は、電動で開閉を行う方式の実施例であり、基枠１１と蓋２１とワイヤ３１と防火シャッター８１を有する。基枠１１は表面２（屋外側）に防火シャッター８１を取り付け、裏面３（屋根裏側）に蓋２１を開閉可能に取り付ける。防火シャッター８１は、虫侵入防止ネット５４を備え、開閉つまみ８２を有する。開閉つまみ８２は、閉塞板で防火シャッター８１の開口部分を開閉するのに使用する。また、防火シャッター８１は、基枠１１のシャッター取り付けビス１４によって、基枠１１の表面２に取り付けられる。ワイヤ３１は、一端部を蓋２１に固定され、第１プーリ４１を介して基枠１１の表面２に挿通する。基枠１１の表面２に挿通されたワイヤ３１は、基枠１１の開口部１３に設けられたワイヤ通路３４を通り、基枠１１の表面２から第２プーリを介して基枠１１の裏面３に挿通し、電動モータ６１等に接続する。
【００２６】
図１から図５に示した実施例のように、複数のプーリを適所に配置することで、天井・床下を問わず、また手動開閉式・電動開閉式を問わず、一つの換気口でどんな条件下にも対応することができる。
【産業上の利用可能性】
【００２７】
本考案は、プーリを適所に複数個設置することで、一つの機構で手動開閉操作、電動開閉操作の両方に対応することが出来る天井床下換気口であるが、その他の換気を要する開口部に設置することができることは言うまでもない。
【図面の簡単な説明】
【００２８】
【図１】本考案に係る天井床下換気口の手動開閉方式の実施例の斜視図である。
【図２】図１に示した天井床下換気口の表面の斜視図である。
【図３】（a），（b），（c）は、図１及び図２に示した天井床下換気口の床下に設置したときの正面図、側面図、上面図である。
【図４】本考案に係る天井床下換気口の電動開閉方式の実施例の斜視図である。
【図５】図４に示した天井床下換気口の表面の斜視図である。
【図６】（a），（b），（c）は、図４及び図５に示した天井床下換気口の天井に設置したときの正面図、側面図、底面図である。
【図７】（a），（b），（c）は、図４〜図６に示した天井床下換気口のシャッターに防火シャッターを用いた際の正面図、側面図、底面図である。
【符号の説明】
【００２９】
１  天井床下換気口
２  基枠表面
３  基枠裏面
１１  基枠
１２  基礎
１３  開口部
１４  シャッター取り付けビス
１５  接続部の支軸
１６  スプリング
１７  立ち上げ部
１８  密閉用弾性シール
１９  取り付け枠
２１  蓋
２２  側壁
２３  断熱材
３１  ワイヤ
３２  取っ手
３３  スプリング
３４  ワイヤ通路
４１  第１プーリ
４２  第２プーリ
５１  シャッター
５２  ワイヤ挿通孔
５３  取っ手固定部
５４  虫侵入防止ネット
６１  電動モータ
７１  結露防止カバー
８１  防火シャッター
８２  開閉つまみ
【図１】
0003118090.tif 000003
【図２】
0003118090.tif 000004
【図３】
0003118090.tif 000005
【図４】
0003118090.tif 000006
【図５】
0003118090.tif 000007
【図６】
0003118090.tif 000008
【図７】
0003118090.tif 000009